(57)【要約】【課題】新たな電力管理装置になっても需要家のプライバシーを保護できる電力監視システムを提供する。【解決手段】宅内機器２００の使用電力量を監視し、監視した使用電力量を含む電力情報を蓄積する電力監視装置１と、電力監視装置１と通信可能な電力管理装置２とを備える電力監視システムであって、電力監視装置１は、電力管理装置２が新たな電力管理装置２に置き換えられたことを検出した後に、新たな電力管理装置２から蓄積する電力情報へのアクセス要求を拒否する。【選択図】図１
2015198257.tif 000002
【特許請求の範囲】
【請求項１】
宅内に接続された機器の使用電力量を監視し、監視した使用電力量を含む電力情報を蓄積する電力監視装置と、前記電力監視装置と通信可能な電力管理装置とを備える電力監視システムであって、
前記電力監視装置は、前記電力管理装置が新たな電力管理装置に置き換えられたことを検出した後に、前記新たな電力管理装置から前記蓄積する電力情報へのアクセス要求を拒否することを特徴とする電力監視システム。
【請求項２】
前記電力監視装置は、前記新たな電力管理装置に置き換えられたことを検出した後に、アクセス要求があった場合において、前記蓄積する電力情報を削除することを特徴とする請求項１に記載の電力監視システム。
【請求項３】
前記電力監視装置は、前記電力管理装置を識別する識別子と、前記識別子により識別される前記電力管理装置の前記電力情報とを互いに関連付けて記憶し、前記電力管理装置の識別子が記憶している識別子と異なる場合において、前記蓄積する電力情報への前記アクセス要求を拒否することを特徴とする請求項１又は２に記載の電力監視システム。
【請求項４】
宅内に接続された機器の使用電力量を管理する電力管理装置と通信することにより、前記機器の使用電力量を監視し、監視した使用電力量を含む電力情報を蓄積する電力監視装置であって、
前記電力管理装置が新たな電力管理装置に置き換えられたことを検出した後に、前記新たな電力管理装置から前記蓄積する電力情報へのアクセス要求を拒否することを特徴とする電力監視装置。
【発明の詳細な説明】
【技術分野】
【０００１】
本発明は、家庭内の電力を監視する電力監視システム及び電力監視装置に関する。
【背景技術】
【０００２】
家電機器などの最適運転や、エネルギー使用状況をリアルタイムで表示するなど、宅内におけるエネルギー管理を支援するホームエネルギーマネジメントシステム（ＨＥＭＳ）が知られている（特許文献１参照）。
【０００３】
このＨＥＭＳは、スマートメータと、コントローラとを含む。ＨＥＭＳにおけるスマートメータは、家庭内における使用電力を計測する。ＨＥＭＳにおけるコントローラは、スマートメータと通信を行って積算使用電力量の値を取得する。また、スマートメータは、電力情報を電力会社に送信する。
【０００４】
このＨＥＭＳにおいて、コントローラが需要家の所有物である場合、コントローラは、引越しによって他の住居に移設されることになる。その後、空き住居に別の需要家が入居し、別の需要家が所有する新たなコントローラを設置する場合、新たなコントローラは、前の需要家のコントローラと通信していたスマートメータと通信することになる。
【先行技術文献】
【特許文献】
【０００５】
【特許文献１】特開２０１３-２１９８４８号公報
【発明の概要】
【発明が解決しようとする課題】
【０００６】
一般的にスマートメータは、過去の電力量の情報を保持している。したがって、新たなコントローラがスマートメータと通信をして、過去の使用電力量の履歴を取得されるおそれがある。すると、例えば日中不在であることや所有する家電の種類等、新たな居住者が前の居住者の生活行動のパターンを推測可能になり、前の居住者のプライバシーが侵害される恐れがある。
【０００７】
本発明は、上記問題点を鑑み、需要家のプライバシーを保護できる電力監視システム及び電力監視装置を提供することを目的とする。
【課題を解決するための手段】
【０００８】
上記目的を達成するために、本発明の第１の態様は、宅内に接続された機器の使用電力量を監視し、監視した使用電力量を含む電力情報を蓄積する電力監視装置と、前記電力監視装置と通信可能な電力管理装置とを備える電力監視システムであって、前記電力監視装置は、前記電力管理装置が新たな電力管理装置に置き換えられたことを検出した後に、前記新たな電力管理装置から前記蓄積する電力情報へのアクセス要求を拒否する電力監視システムであることを要旨する。
【０００９】
本発明の第２の態様に係る電力監視システムは、第１の態様に係る電力管理装置において、前記電力監視装置は、前記新たな電力管理装置に置き換えられたことを検出した後に、アクセス要求があった場合において、前記蓄積する電力情報を削除することを特徴とする。
【００１０】
本発明の第３の態様に係る電力監視システムは、第１又は第２の態様に係る電力管理装置において、前記電力監視装置は、前記電力管理装置を識別する識別子と、前記識別子により識別される前記電力管理装置の前記電力情報とを互いに関連付けて記憶し、前記電力管理装置の識別子が記憶している識別子と異なる場合において、前記蓄積する電力情報への前記アクセス要求を拒否することを特徴とする。
【００１１】
本発明の第４の態様は、宅内に接続された機器の使用電力量を管理する電力管理装置と通信することにより、前記機器の使用電力量を監視し、監視した使用電力量を含む電力情報を蓄積する電力監視装置であって、前記電力管理装置が新たな電力管理装置に置き換えられたことを検出した後に、前記新たな電力管理装置から前記蓄積する電力情報へのアクセス要求を拒否する電力監視装置であることを要旨する。
【発明の効果】
【００１２】
本発明によれば、新たな電力管理装置からのアクセスを制限することにより、需要家のプライバシーを保護できる電力監視システム及び電力監視装置を提供することができる。
【図面の簡単な説明】
【００１３】
【図１】本発明の実施の形態に係る電力監視システムの基本的な構成を説明する模式的なブロック図である。
【図２】本発明の実施の形態に係る電力監視システムが備える電力監視装置及び電力管理装置を説明するブロック図である。
【図３】本発明の実施の形態に係る電力監視システムの動作を説明するシーケンス図である。
【図４】本発明の実施の形態に係る電力管理装置の動作を説明するフローチャートである。
【図５】本発明の実施の形態に係る電力管理装置において蓄積されるＩＤと電力量との関係を示す図である。
【発明を実施するための形態】
【００１４】
つぎに、図面を参照して、本発明の実施の形態を説明する。以下の図面の記載において、同一又は類似の部分には同一又は類似の符号を付し、重複する説明を省略している。
【００１５】
（電力監視システム）
本発明の実施の形態に係る電力監視システムは、図１に示すように構成される。この電力監視システムは、複数の宅内機器２００ａ〜２００ｃ（以下、総称する場合には単に「宅内機器２００」と呼ぶ。）、電力管理装置２と、電力監視装置１とを備える。
【００１６】
この電力監視システムにおいて、宅内機器２００及び電力管理装置２は家庭内ネットワーク２０に接続されている。また、電力監視装置１は、他の電力監視装置１ａ、１ｂ及び電力会社サーバ１００と共に高度メータ基盤（ＡＭＩ）を構成する電力基盤ネットワーク１０に接続されている。さらに、電力監視装置１と電力管理装置２とは、ＰＬＣ(Power Line Communication)を利用した有線回線又は無線回線によって通信が可能となっている。
【００１７】
電力管理装置２は、ＨＥＭＳにおけるコントローラである。電力管理装置２は、コントローラとして、宅内機器２００ａ〜２００ｃの使用電力量を管理する。
【００１８】
電力管理装置２は、図２に示すように、通信部２１、蓄積部２２、制御部２３、及び、入力部２４を有する。
【００１９】
通信部２１は、家庭内ネットワーク２０を介して宅内機器２００と通信を行う宅内通信Ｉ／Ｆを含む。また、通信部２１は、電力監視装置１との間で通信を行う通信Ｉ／Ｆを含む。通信部２１は、宅内機器２００及び電力監視装置１との間で、コマンドや情報を授受する。
【００２０】
特に、通信部２１は、制御部２３の制御に従って、電力監視装置１に蓄積した宅内機器２００の使用電力量を取得するコマンドを、電力監視装置１に送信する。これに応じ、通信部２１は、当該コマンドのレスポンスとしての宅内機器２００の使用電力量を、電力監視装置１から受信する。
【００２１】
蓄積部２２は、各種の情報やプログラムを記憶している。蓄積部２２は、通信部２１によって取得した宅内機器２００の使用電力量を蓄積する。この宅内機器２００の使用電力量は、図示しないＷｅｂページ等によって表示部に表示することができる。
【００２２】
入力部２４は、ユーザの操作を受け付けるタッチパネル等の入力装置を有する。本実施形態において、入力部２４は、電力管理装置２が電力監視装置１と通信するためのＩＤ、パスワードを入力する。
【００２３】
このような電力管理装置２は、制御部２３の制御に従って、通信部２１、蓄積部２２、及び、入力部２４を制御する。これにより電力管理装置２は、電力監視装置１と通信可能となる。
【００２４】
また、この電力管理装置２は、所有者によって取り付け及び取り外しが可能である。したがって、電力管理装置２は、所有者が引っ越す時に取り外されることがある。また、電力管理装置２は、新たな所有者が引っ越してきた時に新たに取り付けられることがある。
【００２５】
電力監視装置１は、図２に示すように、通信部１１、検出部１２、蓄積部１３、及び、制御部１４を有する。電力監視装置１は、例えばＡＭＩにおけるスマートメータである。
【００２６】
電力監視装置１は、図示しない宅内の配電盤等に接続されている。電力監視装置１は、各宅内機器２００の使用電力を監視し、各宅内機器２００の使用電力量を蓄積する。この使用電力量は、電力情報として蓄積部１３に蓄積される。
【００２７】
蓄積部１３には、電力情報に加えて、電力監視装置１が通信を行う電力管理装置２の識別子(ＩＤ)を記憶している。この電力管理装置２のＩＤは、電力監視装置１によって、通信相手が新たな電力管理装置に置き換えられたことを検出するために参照される。
【００２８】
蓄積部１３には、図５に示すように、電力管理装置２を識別する識別子(ＩＤ)と、識別子により識別される電力管理装置２の電力情報とを互いに関連付けて記憶していてもよい。このＩＤは、例えば電力会社によって入力される。
【００２９】
通信部１１は、電力基盤ネットワーク１０を介して電力会社サーバ１００と通信を行う通信Ｉ／Ｆを含む。また、通信部１１は、電力管理装置２との間で通信を行う通信Ｉ／Ｆを含む。通信部１１は、電力会社サーバ１００及び電力管理装置２との間で、コマンドや情報を授受する。
【００３０】
特に、通信部１１は、蓄積部１３に蓄積した宅内機器２００の使用電力量を取得するコマンドが、電力管理装置２から受信する。これに応じ、通信部１１は、当該コマンドのレスポンスとしての宅内機器２００の使用電力量を、電力管理装置２に送信する。
【００３１】
検出部１２は、電力管理装置２が新たな電力管理装置２に置き換えられたことを検出する。すなわち、検出部１２は、以前に通信していた電力管理装置２と、現在に通信している電力管理装置２とを区別する。このとき、検出部１２は、以前に通信していた電力管理装置２のＩＤを蓄積部１３から読み出して、現在通信している電力管理装置２のＩＤと比較する。なお、この検出部１２による新たな電力管理装置２の検出方法については後述する。この検出部１２による検出結果は制御部１４により読み取られる。
【００３２】
制御部１４は、検出部１２によって新たな電力管理装置２が検出された後に、新たな電力管理装置２から送信された、蓄積する電力情報へのアクセス要求を拒否する。
【００３３】
このような電力監視システムにおいて、電力監視装置（スマートメータ）１と電力管理装置２（ＨＥＭＳコントローラ）とが通信を確立する動作を図３を参照して説明する。図３は、需要家に設置される電力管理装置２が電力会社の電力監視装置１に接続することを申し込み、電力管理装置２が電力情報を取得するためのシーケンス例である。
【００３４】
先ず、電力会社は需要家の接続申し込みＳ１を受け付ける。これに応じ、電力会社は、電力監視装置１と電力管理装置２の接続に必要なＩＤ及びパスワードＳ２を契約者の住所に郵送で送付する。これにより、接続申込、接続受付、本人認証を完了する（Ｔ１）。
【００３５】
次に、電力監視装置１と電力管理装置２との間で、通信接続確立処理（Ｔ２）を行う。
【００３６】
ＩＤ及びパスワードＳ２を受け取った需要家は、電力管理装置２における入力部２４を操作して、ＩＤ及びパスワードを入力する。ＩＤは、電力会社が発行する電力監視装置１と電力管理装置２を含むＨＥＭＳを関連付ける数字又は英字であってもよい。パスワードは、暗号鍵を生成するために必要な数字や文字列であってもよい。
【００３７】
電力会社は、電力基盤ネットワーク１０を介して、又は、ハンディターミナル等を用いて、電力監視装置１にＩＤ及びパスワードＳ３を設定する。一方、電力管理装置２には、入力部２４によってＩＤ及びパスワードＳ４が入力される。
【００３８】
電力管理装置２は、自己が通信接続する電力監視装置１に接続要求Ｓ５を送信する。この接続要求Ｓ５には、ユーザによって入力されたＩＤ及びパスワードＳ４を含められる。これに対し、電力監視装置１は、図４に示す接続認証処理を行う。電力監視装置１は、電力管理装置２の接続認証が成功した場合には、接続応答Ｓ６を電力管理装置２に送信する。電力管理装置２の接続認証が失敗した場合には、接続応答Ｓ６は電力管理装置２に送信されない。
【００３９】
図４に示す接続認証処理は、先ずステップＳ１１において、電力監視装置１により、当該電力管理装置２を含むＨＥＭＳのＩＤを取得する。このＨＥＭＳのＩＤは接続要求Ｓ５から取り出す。
【００４０】
次のステップＳ１２において、電力監視装置１は、認証処理を行う。このとき、電力監視装置１は、上述したように、電力会社によって入力されたＩＤ及びパスワードＳ３と、ステップＳ１１において取得したＩＤ及びパスワードＳ４とを比較する。双方のＩＤ及びパスワードが一致する場合に認証処理が成功する。
【００４１】
次のステップＳ１３において、電力監視装置１は、通信相手の電力管理装置２が新たな電力管理装置２に置き換えられたか否かを検出する。このとき、検出部１２は、ＩＤ及びパスワードＳ３中のＩＤと、蓄積部１３に保存済みのＩＤとが等しいか否かを判定する。蓄積部１３に保存済みのＩＤは、過去に電力監視装置１と通信した電力管理装置２のＩＤである。
【００４２】
ＩＤ及びパスワードＳ３中のＩＤと蓄積部１３に保存済みのＩＤとが等しい場合には、電力管理装置２が再認証されたとして、処理を終了する。これにより、電力監視装置１は、新たな電力管理装置２に置き換えられていない場合には、当該電力管理装置２に対して電力情報を取得可能とする。すなわち、使用電力量の履歴データのアクセス権に関して特に制限を設けることはしない。
【００４３】
ＩＤ及びパスワードＳ３中のＩＤと保存済みのＩＤとが異なる場合には、電力監視装置１は、新たな電力管理装置２に置き換えられているため、ステップＳ１４に処理を進める。
【００４４】
ステップＳ１４において、電力監視装置１は、制御部１４によって、蓄積部１３に保存済みのＩＤを、認証したＩＤで更新する。すなわち、電力監視装置１は、現在通信接続している電力管理装置２のＩＤを、認証済みのＩＤに更新する。これにより、電力監視装置１は、以降における宅内機器２００の使用電力量は、更新したＩＤに対応づけて記憶することができる。
【００４５】
次のステップＳ１５において、電力監視装置１は、新たな電力管理装置２から送信されるアクセス要求を拒否するアクセス禁止処理を行う。このアクセス要求は、蓄積部１３に蓄積する電力情報を取得する要求である。これにより、新たな電力管理装置２に送信する動作を禁止する。
【００４６】
また、このステップＳ１５において、電力監視装置１は、アクセス禁止処理として蓄積部１３に蓄積する電力情報を削除してもよい。
【００４７】
この電力監視システムにおいて、電力管理装置２は、所有者によって取り付け及び取り外しが可能である。したがって、電力監視装置１は、通信相手となる電力管理装置２が変更される場合がある。これに対し、電力監視装置１は、古い電力管理装置２を取り付けていた期間に取得した電力情報を、新しい電力管理装置２に対して送信しないようにすることができる。
【００４８】
これにより、電力監視システムは、前居住者の行動パターンを推測されることから保護することが可能になり、需要家のプライバシーを保護できる。
【００４９】
また、制御部１４は、新たな電力管理装置２に置き換えられたことを検出した後に、アクセス要求があった場合において、蓄積部１３に蓄積する電力情報を削除してもよい。これにより、電力監視装置１は、新たに取り付けられた電力管理装置２に対して、古い電力管理装置２を取り付けていた期間に取得した電力情報を送信することを確実に防止できる。
【００５０】
上記の他、本発明の実施の形態を相互に応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００５１】
１  電力監視装置
２  電力管理装置
２００  宅内機器
【図１】
2015198257.tif 000003
【図２】
2015198257.tif 000004
【図３】
2015198257.tif 000005
【図４】
2015198257.tif 000006
【図５】
2015198257.tif 000007